(57)【要約】【課題】尿のこぼれや飛散を防止でき、機能性・利便性に優れたトイレガードを提供する。【解決手段】  男性用小便器に設置するトイレガードであって、男性用小便器の正面開放部の下部を覆うカバー部を有する。カバー部は、中央部が前方に突出し、当該中央部から左右両端部に至る左右側板と、上端部の中央部に、正面から見て概略Ｕ字状で、かつ左右側板まで及ぶ第一切欠部と、使用者の股の高さに相当する位置に、第一切欠部を挟んで設けられた、左右のサブ側板１２１Ｒ，１２１Ｌと、を有する。【選択図】図１
2020023875.tif 000002
【特許請求の範囲】
【請求項１】
男性用小便器に設置するトイレガードであって、
男性用小便器の正面開放部の下部を覆うカバー部を有し、
前記カバー部は、
中央部が前方に突出し、当該中央部から左右両端部に至る左右側板と、
上端部の中央部に、正面から見て概略Ｕ字状で、かつ前記左右側板まで及ぶ第一切欠部と、
使用者の股の高さに相当する位置に、前記第一切欠部を挟んで設けられた、左右のサブ側板と、を有する
ことを特徴とするトイレガード。
【請求項２】
請求項１に記載のトイレガードであって、
前記左右のサブ側板の高さは、５ｃｍ〜５０ｃｍである
ことを特徴とするトイレガード。
【請求項３】
請求項１または２に記載のトイレガードであって、
前記第一切欠部の中央部には、さらに第二切欠部が設けられていることを特徴とするトイレガード。
【請求項４】
請求項１〜３のいずれか一項に記載のトイレガードであって、
前記第一切欠部の両側部分は、不可透視になっていることを特徴とするトイレガード。
【請求項５】
請求項１〜４のいずれか一項に記載のトイレガードであって、
前記カバー部を含む内壁に洗浄水を導く複数のリブを有していることを特徴とするトイレガード。
【請求項６】
請求項１〜５のいずれか一項に記載のトイレガードであって、
前記カバー部の下部に重ねて装着できる重ね部材を有していることを特徴とするトイレガード。
【発明の詳細な説明】
【技術分野】
【０００１】
本発明は、トイレガードに関する。
【背景技術】
【０００２】
男性用小便器において、尿の飛散により、小便器周辺やズボンを汚してしまうという問題があった。いったん小便器の周辺が汚れると、小便器への接触や床にこぼれている尿を避けるため、小便器から離れて放尿してさらに汚染がひどくなることがあった。
【０００３】
この問題を解決するため、従来から種々な提案がされている。
【０００４】
実用新案登録第３１９４６４９号（特許文献１）には、湾曲した撓み性を有する一枚の遮蔽板で小便器の尿受け部を囲み、下端部を尿受け部の内側に装着した尿飛散防止用のガードが開示されている。また、特許文献２（特開２００６−２４９７４７号公報）と特許文献３（実用新案登録第３２００３１０号）には、アーム又はベルトを小便器の側面に取り付けたカバーが開示されている。該アーム又はベルトの長さは調整可能であり、ガードを任意の角度に傾斜させることができるようになっている。
【先行技術文献】
【特許文献】
【０００５】
【特許文献１】実用新案登録第３１９４６４９号
【特許文献２】特開２００６−２４９７４７号公報
【特許文献３】実用新案登録第３２００３１０号
【発明の概要】
【発明が解決しようとする課題】
【０００６】
しかしながら、従来の技術では、トイレガードとしての機能性・利便性が十分とは言えなかった。
【０００７】
すなわち、上記従来のトイレガードのいずれも、使用者の股の間の下に十分に張り出していないため、十分に尿のこぼれや飛散を防止することができず、トイレガードとしての機能が十分とは言えなかった。
【０００８】
また、トイレガードは放尿を通す部分が必要十分に狭く、且つ、跳ね返りを防止する部分が十分に大きいことが好ましいが、従来のトイレガードは、放尿を通す部分と跳ね返りを防止する部分が同じ開放部を有し、トイレガードとしての機能は十分とは言えなかった。
【０００９】
また、従来のトイレガードは、トイレガード自体の開放部が大きく、プライバシー面の機能性も十分とは言えなかった。
【００１０】
また、一般に、男性用小便器は尿受け部の下部が様々な形状になっている。トイレガードを男性用小便器に設置するときは、尿受け部の下部にトイレガードを安定的に装着できるようにしなければならない。しかし、従来のトイレガードでは、様々な形状の男性用小便器に対応することができなかった。
【００１１】
さらに、従来のトイレガードは、洗浄水が届かず、汚れを防止することができなかった。
【００１２】
さらにまた、一般的に男性用小便器は尿受け部の開放部が様々な形状を有している。トイレガードは、跳ね返りを防止する部分の高さが重要であるが、男性用小便器は尿受け部の開放部の高さが区々であるため、従来のトイレガードでは十分に対応することができなかった。
【００１３】
そこで、本発明は上記従来技術の課題の少なくともひとつを解決すべく、機能性・利便性が十分なトイレガードを提供することを目的とする。
【課題を解決するための手段】
【００１４】
本願は、上記課題の少なくとも一部を解決する手段を複数含んでいるが、その例を挙げるならば、以下の通りである。
【００１５】
上記課題を解決するため、本発明の一態様に係るトイレガードは、例えば、男性用小便器に設置するトイレガードであって、男性用小便器の正面開放部の下部を覆うカバー部を有し、前記カバー部は、中央部が前方に突出し、当該中央部から左右両端部に至る左右側板と、上端部の中央部に、正面から見て概略Ｕ字状で、かつ前記左右側板まで及ぶ第一切欠部と、使用者の股の高さに相当する位置に、前記第一切欠部を挟んで設けられた、左右のサブ側板とを有する。
前記左右のサブ側板の高さは、５ｃｍ〜５０ｃｍであってもよい。
【００１６】
前記第一切欠部の中央部には、さらに第二切欠部が設けられているようにしてもよい。
【００１７】
前記第一切欠部の両側部分は、不可透視になっているようにしてもよい
前記カバー部は、下端部に、複数の形状の前記男性用小便器の尿受け部の下部に適合させるための、複数の適合線が設けられていてもよい。
【００１８】
前記カバー部を含む内壁に洗浄水を導く複数のリブを有しているようにしてもよい。
【００１９】
前記カバー部の下部に重ねて装着できる重ね部材を有しているようにしてもよい。
【発明の効果】
【００２０】
本発明によれば、尿のこぼれや飛散を防止でき、機能性・利便性に優れたトイレガードを提供することができる。上記した以外の課題、構成、及び効果は、以下の実施形態の説明により明らかにされる。
【図面の簡単な説明】
【００２１】
【図１】本発明の一実施形態によるトイレガードを男性用小便器に設置した状態の斜視図である。
【図２】本発明の一実施形態によるトイレガードを男性用小便器に設置した状態の正面図である。
【図３】本発明の一実施形態によるトイレガードを男性用小便器に設置した状態の右側面図である。
【図４】本発明の一実施形態によるトイレガードを男性用小便器に設置した状態の平面図である。
【図５】本発明の一実施形態によるトイレガードの斜視図である。
【図６】本発明の一実施形態によるトイレガードの斜視図である。
【図７】本発明の一実施形態によるトイレガードの正面と側面と平面と底面を示した図である。
【図８】トイレガードの変形例の正面と側面と平面と底面を示した図である。
【図９】トイレガードの変形例の正面と側面と平面と底面を示した図である。
【図１０】トイレガードの変形例の正面と側面と平面と底面を示した図である。
【図１１】トイレガードの変形例の正面と側面と平面と底面を示した図である。
【発明を実施するための形態】
【００２２】
以下に、本発明の実施形態を、図面を用いて説明する。以下の説明では、前出の部分と同一の部分については同一の符号を付して重複する説明を省略することがある。
【００２３】
図１から図４は、本発明の一実施形態によるトイレガードを男性用小便器に設置した状態を種々の方向から見たものを示している。
【００２４】
図１は、本発明の一実施形態によるトイレガードを男性用小便器に設置した状態を斜め上方向から見た斜視図である。図２は、同トイレガードを男性用小便器に設置した状態の正面図、図３は同トイレガードを男性用小便器に設置した状態を右側から見た側面図、図４は同トイレガードを男性用小便器に設置した状態を上方から見た平面図である。以下の説明では、図１から図４を併せて参照することにする。
【００２５】
図１から図４に示すように、男性用小便器１は、外形が概略三角柱の形状を有しており、内部は空洞部２になっている。空洞部２の正面（使用者に面する面）は便器の正面開放部３になっている。空洞部２の内壁の全体が尿受け部４になっている。
【００２６】
男性用小便器１は、汚れが付着しにくい磁器等からなり、特に尿受け部４の内面は、汚れが付着しないような表面コーティングを有している。男性用小便器１の頂壁８には、図示しない導水管が設置され、尿受け部４の内面に洗浄水が流れるようになっている。
【００２７】
該尿受け部４を構成するために、男性用小便器１は後壁５と右側壁６と左側壁７と頂壁８を有している。後壁５と右側壁６と左側壁７の下部は集合して概略椀状のボール部９になっている。ボール部９は前壁１０を有し、尿の前方へのこぼれや飛散を防止している。
【００２８】
本実施形態の例によるトイレガード１１は、全体的に透明な材料からなり、男性用小便器１の正面開放部３の下部を覆うカバー部１２と、カバー部１２の左右両端部から延設された一対の折曲部１３とを有している。折曲部１３は、トイレガード１１を男性用小便器１の左右側壁６，７に取り付ける部分になっている。トイレガード１１のカバー部１２は、中央部１４が前方（使用者がいる方）に突出している。カバー部１２の上辺は、奥側から前方に向かうにつれて、やや下方に傾斜している。カバー部１２の上端部の中央部は正面から見て概略Ｕ字状の第一切欠部１５を有している。第一切欠部１５の中央部には、さらに第二切欠部１６が設けられているのが好ましい。
【００２９】
本実施形態の例によるトイレガード１１の設置は、トイレガード１１を男性用小便器１の内側に挿入し、折曲部１３を左右側壁６，７に当接するようにしているが、トイレガード１１の設置方法はこれに限られない。例えば、折曲部１３を左右側壁６，７の内側あるいは外側に固定等の方法で取り付けるようにしてもよい。また、本実施形態の例によるトイレガード１１は、空洞部２内に挿入し、下部をボール部９内に装着しているが、トイレガード１１の下端部を、ボール部９の前壁１０上に接合するようにしてもよい。
【００３０】
本実施形態の例によるトイレガード１１は、男性用小便器１の内面形状に従ってカバー部１２の中央部１４が前方に突出しているが、男性用小便器１の内面形状に関わらずカバー部１２の中央部１４が前方に突出しているのが好ましい。中央部１４の突出形状は三角形状に限られない。カバー部１２の中央部１４が突出していることにより、トイレガード１１のカバー部１２の中央部が使用者の両足の間に延び、尿のこぼれや飛散を防止することができる。
【００３１】
また、図３から明らかなように、本実施形態のトイレガード１１はカバー部１２の中央部１４に第一切欠部１５を有しているため、カバー部１２の中央部１４は使用者の股の間の下に延在している。これにより、落下した尿滴を受けられ、さらに尿のこぼれや飛散を防止することができる。
【００３２】
第二切欠部１６は、第一切欠部１５の中央部に設けられ、男性用小便器１の中心を示し、使用者に男性用小便器１の中央部に立つように促すことができる。また、第二切欠部１６は下方に飛散した尿滴をトイレガード１１内部に通過させる開口部にもなっている。第二切欠部１６の横幅は、例えば、７ｃｍ〜１５ｃｍ、好ましくは、８ｃｍ〜１３ｃｍである。縦幅は、例えば、５ｃｍ〜１５ｃｍ、好ましくは、７ｃｍ〜１２ｃｍである。
【００３３】
本実施形態のトイレガード１１によれば、その形状によって尿のこぼれや飛散を効果的に防止することができる。
【００３４】
すなわち、本実施形態のトイレガード１１によれば、男性用小便器１の正面開放部３が比較的大きなカバー部１２によって覆われ、尿滴が進入する部分には比較的小さな開口部である第一切欠部１５と第二切欠部１６を有している。
【００３５】
尿滴の飛散は、はじめは飛散範囲が狭く、次第に拡開する傾向にある。トイレガード１１の形状によれば、放尿を通す部分が必要十分に狭く、且つ、跳ね返りを防止する部分が十分に大きい。このため、尿滴を進入させ、飛散や跳ね返りを効果的に防止することができる。
【００３６】
図５から図７は、本実施形態の例によるトイレガード１１の単体を抜き出して示している。図５はトイレガード１１の外側が見える斜視図、図６は同トイレガード１１の内側が見える斜視図、図７はトイレガード１１の正面・側面・平面・底面を示した図である。
【００３７】
図５から図７に示すように、トイレガード１１は好ましくは透明の板状の樹脂等の材料を適切な形状に切断したのち、湾曲加工して製造することができる。適度に弾力のある樹脂等でトイレガード１１を成形することにより、トイレガード１１は中央部１４を中心に弾力的に左右に開くことができる。これにより、男性用小便器１に挿入したときに、中央部１４を中心に開き、折曲部１３を男性用小便器１の左右側壁６，７（不図示）に密着させることができる。
図７に示すように、カバー部１２は、中央部１４が前方に突出し、当該中央部１４から左右両端部に至る左右側板１２Ｒ，１２Ｌを有する。上端部の中央部１４は正面から見て概略Ｕ字状で、かつ前記左右側板１２Ｒ、１２Ｌまで及ぶ第一切欠部１５を有している。
第一切欠部１５は、その下側の縁（第二切欠部１６がある場合は、第二切欠部１６の位置）が、使用者の股の高さ付近となるように設けられている。
第一切欠部１５の左右には、左右側板１２Ｒ、１２Ｌの一部分であり、第一切欠部１５により切り欠かれた残り部分である、左右のサブ側板１２１Ｒ，１２１Ｌを有する。
すなわち、トイレガード１１は、使用者の股の高さに相当する位置に、第一切欠部１５を挟んで設けられた、左右のサブ側板１２１Ｒ、１２１Ｌを有する
左右のサブ側板１２１Ｒ，１２１Ｌの高さＤ（すなわち、第一切欠部１５の上下方向の深さ）は、例えば、５ｃｍ〜５０ｃｍである。具体的には、高さＤの下限は、例えば、５ｃｍ、好ましくは８ｃｍ、より好ましくは１０ｃｍである。高さＤの上限は、例えば、５０ｃｍ、好ましくは３０ｃｍ、より好ましくは１５ｃｍである。高さＤは、略１３ｃｍとしてもよい。
第一切欠部１５の幅Ｗ（すなわち、第一切欠部１５の隣接する左右のサブ側板１２１Ｒ、１２１Ｌの前方縁の間の距離）は、例えば、７ｃｍ〜２０ｃｍである。具体的には、幅Ｗの下限は、例えば７ｃｍ、好ましくは８ｃｍ、より好ましくは９ｃｍである。幅Ｗの上限は２０ｃｍ、好ましくは１５ｃｍ、より好ましくは、１３ｃｍである。幅Ｗは、略１０ｃｍとしてもよい。
また、第一切欠部１５の奥行きＱ１（すなわち、中央部１４から左右のサブ側板１２１Ｒ、１２１Ｌの前方縁までの距離）は、例えば、２．５ｃｍ〜５ｃｍである。具体的には、奥行きＱ１の下限は、２．５ｃｍ、好ましくは３．０ｃｍ、より好ましくは３．２ｃｍである。奥行きＱ１の上限は５ｃｍ、好ましくは４．５ｃｍ、より好ましくは４ｃｍである。奥行きＱ１は、略３．５ｃｍとしてもよい。
また、左右のサブ側板１２１Ｒ，１２１Ｌの奥行きＱ２（すなわち、左右のサブ側板１２１Ｒ、１２１Ｌの前方縁から折曲部１３の位置までの前後方向の距離）は、例えば、５ｃｍ〜２０ｃｍである。具体的には、奥行きＱ２の下限は、５ｃｍ、好ましくは８ｃｍ、より好ましくは１０ｃｍである。奥行きＱ２の上限は２０ｃｍ、好ましくは１７ｃｍ、より好ましくは１４ｃｍである。奥行きＱ２は、略１３ｃｍとしてもよい。
このような形状により、第一切欠部１５の左右のサブ側板１２１Ｒ、１２１Ｌが、使用者の股の高さから腰の高さ付近に存在することになり、放尿中および放尿後の尿切りの際の左右方向への飛び散りを防止することができる。
具体的には、使用者が男性用小便器の三角のせり出し部分に足を跨いで使用したときに、放尿位置（陰茎の位置）の両側に、左右のサブ側板１２１Ｒ，１２１Ｌによりガードができることになり、放尿後の振り動作時に発生する左右への尿の飛散を防止することがでる。
通常、放尿後に残尿を切るため、振り動作が行われる。振り方向は上下、左右など、個人によって異なるが、第一切欠部１５の両側部分がガードとなるため、小便器の外への飛散の原因となる左右方向への飛散を防止することができる。
【００３８】
また、トイレガード１１全体を透明にすることにより、男性用小便器１に設置したときの視覚的な圧迫感を軽減することができる。また、取り外しも容易なので、洗浄も簡単である。
上記では、男性用小便器が床置（ストール）型小便器である例で説明したが、壁掛け型小便器に適合する形状のトイレガードであってもよい。その場合、トイレガード１１の縦方向の長さが短くなる。
【００３９】
図８は、本実施形態の一変形例を示している。
【００４０】
本変型例によるトイレガード１１ａは、第一切欠部１５の両側部分１２ａ，１２ｂは、不可透視になっている。「不可透視」とは透視できないようになっていることであり、図８の例のように、第一切欠部１５の両側部分１２ａ，１２ｂの壁体に凹凸をつけて透視できないようしてもよい。また、同部分を半透明にしたり、すりガラス状にしたり、着色したり、塗装したり、完全に不透明にしたりすることができる。
【００４１】
第一切欠部１５の両側部分１２ａ，１２ｂを不可透視にすることにより、プライバシーに関して使用感を向上させることができる。
【００４２】
なお、トイレガード１１ａは、その形状により、プライバシー面の機能性が高い。すなわち、第一切欠部１５の両側部分１２ａ，１２ｂが張り出し、視線の障壁になって、高いプライバシー性を維持することができる。
【００４３】
図９は、上記実施形態の他の変形例を示している。
【００４４】
図９のトイレガード１１ｂは、カバー部１２の下端部に複数の適合線１７を有している。適合線１７は、切断し易い、または折りやすいように加工された部位である。適合線１７は、トイレガード１１ｂの下端部を、図示しない男性用小便器１の尿受け部４の下部に適合させるように設けられている。ここで、男性用小便器１の尿受け部４の下部に適合するとは、ボール部９の形状、あるいは、ボール部９及び尿受け部４の内壁の形状に適合することである。
【００４５】
適合線１７は、その部分だけ薄くなるように加工されていたり、ミシン孔のように貫通孔が所定間隔で並んでいたりして、切断しやすい、または折り曲げやすい形状となっている。なお、切断の目印となる線が描かれていてもよい。さまざまな形状の男性用小便器が製造されているが、使用したい男性用小便器の形状に応じて、適合線１７で、切断したり、折り込んだりすることで、さまざまな形状の男性用小便器に簡単に適合させることができる。
【００４６】
図１０は、上記実施形態の他の変形例を示している。
【００４７】
図１０のトイレガード１１ｃは、カバー部１２を含む内壁に洗浄水を導く複数のリブ１８を有している。「カバー部１２を含む内壁」とは、リブ１８がカバー部１２の内壁に設けられたり、あるいは、カバー部１２と折曲部１３に渡って設けられたりすることができる意である。
【００４８】
リブ１８は、カバー部１２の壁体内面の一部を凸状にして設けることができる。また、リブ１８はカバー部１２とは別部材を、カバー部１２を含む内壁に取り付けることができる。
【００４９】
リブ１８は、好ましくは図１０に示すように、上端部が高くかつ幅広く、下端部が低くかつ幅狭く設けることができる。
【００５０】
また、リブ１８は上端部が折曲部１３の縁から突出し、図示しない男性用小便器１の内壁に当接するようにしてもよい。
【００５１】
本実施形態によれば、男性用小便器１の内壁に沿って流れる洗浄水がリブ１８に導かれ、トイレガード１１ｃの内面を自動的に洗浄することができる。これにより、トイレガード１１ｃが清潔に保たれ、清掃が必要な周期を大幅に延ばすことができる。なお、リブ１８が、上端部が高くかつ幅広く、下端部が低くかつ幅狭くなっている形状を有していることにより、洗浄水は均等にトイレガード１１ｃの内面に広がってこれを洗浄することができる。
【００５２】
図１１は、上記実施形態の他の変形例を示している。
【００５３】
図１１のトイレガード１１ｄは、カバー部１２の下部に重ねて装着できる重ね部材１９を有している。
【００５４】
重ね部材１９は、好ましくはカバー部１２と同一材質の材料からなる。重ね部材１９をカバー部１２と同一材質で形成することにより、トイレガード１１ｄとの一体感を生成することができる。
【００５５】
また、重ね部材１９の形状はカバー部１２に重ねられる形状であればよい。図１１のような概略三角形の横断面形状に限られず、カバー部１２の形状に応じて適宜決めることができる。
【００５６】
また、重ね部材１９をカバー部１２に装着する方法は任意の公知の方法、たとえば接着、熱溶着、着脱可能な締結具などによることができる。
【００５７】
この実施形態によれば、男性用小便器１の正面開放部３の大きさに合わせてカバー部１２と重ね部材１９の重なり部分を調整することにより、カバー部１２を適切な高さに設置することができる。
【００５８】
なお、図８ないし図１１の変形例は適宜組み合わせることができるのは言うまでもない。
【００５９】
上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【００６０】
１：男性用小便器
２：空洞部
３：正面開放部
４：尿受け部
５：後壁
６：右側壁
７：左側壁
８：頂壁
９：ボール部
１０：前壁
１１、１１ａ、１１ｂ、１１ｃ、１１ｄ：トイレガード
１２：カバー部
１２Ｒ、１２Ｌ：左右側板
１２１Ｒ，１２１Ｌ：サブ側板
１２ａ，１２ｂ：両側部分
１３：折曲部
１４：中央部
１５：第一切欠部
１６：第二切欠部
１７：適合線
１８：リブ
１９：重ね部材
【図１】
2020023875.tif 000003
【図２】
2020023875.tif 000004
【図３】
2020023875.tif 000005
【図４】
2020023875.tif 000006
【図５】
2020023875.tif 000007
【図６】
2020023875.tif 000008
【図７】
2020023875.tif 000009
【図８】
2020023875.tif 000010
【図９】
2020023875.tif 000011
【図１０】
2020023875.tif 000012
【図１１】
2020023875.tif 000013
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
男性用小便器に設置するトイレガードであって、
男性用小便器の正面開放部の下部を覆うカバー部を有し、
前記カバー部は、
中央部が前方に突出し、当該中央部から左右両端部に至る左右側板と、
上端部の中央部に、正面から見て概略Ｕ字状で、かつ前記左右側板まで及ぶ第一切欠部と、
使用者の股の高さに相当する位置に、前記第一切欠部を挟んで設けられた、左右のサブ側板と、を有する
ことを特徴とするトイレガード。
【請求項２】
請求項１に記載のトイレガードであって、
前記第一切欠部の上下方向の深さは、５ｃｍ〜５０ｃｍである
ことを特徴とするトイレガード。
【請求項３】
請求項１または２に記載のトイレガードであって、
前記第一切欠部の中央部には、さらに第二切欠部が設けられていることを特徴とするトイレガード。
【請求項４】
請求項１〜３のいずれか一項に記載のトイレガードであって、
前記第一切欠部の両側部分は、不可透視になっていることを特徴とするトイレガード。
【請求項５】
請求項１〜４のいずれか一項に記載のトイレガードであって、
前記カバー部を含む内壁に洗浄水を導く複数のリブを有していることを特徴とするトイレガード。
【請求項６】
請求項１〜５のいずれか一項に記載のトイレガードであって、
前記カバー部の下部に重ねて装着できる重ね部材を有していることを特徴とするトイレガード。